(57)【要約】【課題】意匠性を配慮した表示灯、表示灯付発信機および発信機を提供する。【解決手段】消防用設備の位置を示す表示灯１０であって、正面視で略矩形状の表面部材２１を備えている。【選択図】図１
2020067746.tif 000002
【特許請求の範囲】
【請求項１】
消防用設備の位置を示す表示灯であって、
正面視で略矩形状の表面部材を備えていることを特徴とする表示灯。
【請求項２】
前記表面部材は、取付面に対して略面一な板状に形成され、
前記表面部材の裏側に、発光部が配される収納部が設けられ、
該収納部は、半円筒形状に形成されていることを特徴とする請求項１に記載の表示灯。
【請求項３】
前記表面部材は、取付面から半円筒形状で突出するように形成され、
前記表面部材の内側空間に、発光部が配されていることを特徴とする請求項１に記載の表示灯。
【請求項４】
消防用設備の位置を示す表示灯と、
自動火災報知設備の発信機と、を備えた表示灯付発信機であって、
前記表示灯は、前記発信機の左右方向両側に設けられ、かつ、正面視で上下方向に縦長の略棒状の表面部材を備え、
前記表面部材は、取付面に対して略面一な板状に形成されていることを特徴とする表示灯付発信機。
【請求項５】
前記表面部材の裏側に、発光部と、該発光部の光を反射可能な鏡面と、が配された収納部が設けられ、
前記発光部の光は、前記取付面に対して１５°未満の角度で左右方向外方へ照射可能に構成されていることを特徴とする請求項４に記載の表示灯付発信機。
【請求項６】
正面視で前記発信機の左側に配された左側表示灯と、
正面視で前記発信機の右側に配された右側表示灯と、を有し、
前記左側表示灯から前記発信機方向に照射される第一光経路と、前記右側表示灯から前記発信機方向に照射される第二光経路と、が交差する交差地点が、前記取付面から１ｍ以内の位置になるように構成されていることを特徴とする請求項４または５に記載の表示灯付発信機。
【請求項７】
消防用設備の位置を示す表示灯と、
自動火災報知設備の発信機と、を備えた表示灯付発信機において、
前記表示灯は、前記発信機の左右方向両側および上下方向両側に設けられ、かつ、正面視で前記発信機を囲む表面部材を備え、
前記表面部材は、取付面に対して略面一な板状に形成されていることを特徴とする表示灯付発信機。
【請求項８】
押圧操作時に押圧操作部を点灯表示させる発信機において、
非押圧操作時に、前記押圧操作部は第１形態で点灯表示を行い、
押圧操作時に、前記押圧操作部は前記第１形態とは異なる第２形態で点灯表示を行うように構成されていることを特徴とする発信機。
【発明の詳細な説明】
【技術分野】
【０００１】
本発明は、火災報知設備および消火設備に用いられる表示灯、表示灯付発信機および発信機に関する。
【背景技術】
【０００２】
従来、火災発信機などを備えた機器収納箱や消火栓箱などには赤色点灯する表示灯が設けられている。従来の表示灯は、形状が円形であること、前面投影面積が２８ｃｍ２以上で、かつ、側面投影面積が前面投影面積の４分の１以上であること、といった形状の制約が消防庁告示に規定されていた（例えば、特許文献１参照）。
【先行技術文献】
【特許文献】
【０００３】
【特許文献１】特開２０００-７６５５８号公報
【発明の概要】
【発明が解決しようとする課題】
【０００４】
しかしながら、平成３０年６月に上記消防庁告示が改定され、上記制約が無くなった。そこで、以前から表示灯の見栄えなどについて改善の余地があったため、従来とは形状の異なる表示灯の設置が要望されていた。
【０００５】
そこで、本発明は、上記事情を鑑みてなされたものであり、意匠性を配慮した表示灯、表示灯付発信機および発信機を提供することを目的とする。
【課題を解決するための手段】
【０００６】
本発明に係る表示灯は、消防用設備の位置を示す表示灯であって、正面視で略矩形状の表面部材を備えていることを特徴としている。
【０００７】
また、本発明に係る表示灯は、前記表面部材が、取付面に対して略面一な板状に形成され、前記表面部材の裏側に、発光部が配される収納部が設けられ、該収納部は、半円筒形状に形成されていてもよい。
【０００８】
また、本発明に係る表示灯は、前記表面部材が、取付面から半円筒形状で突出するように形成され、前記表面部材の内側空間に、発光部が配されていてもよい。
【０００９】
本発明に係る表示灯付発信機は、消防用設備の位置を示す表示灯と、自動火災報知設備の発信機と、を備えた表示灯付発信機であって、前記表示灯は、前記発信機の左右方向両側に設けられ、かつ、正面視で上下方向に縦長の略棒状の表面部材を備え、前記表面部材は、取付面に対して略面一な板状に形成されていることを特徴としている。
【００１０】
また、本発明に係る表示灯付発信機は、前記表面部材の裏側に、発光部と、該発光部の光を反射可能な鏡面と、が配された収納部が設けられ、前記発光部の光は、前記取付面に対して１５°未満の角度で左右方向外方へ照射可能に構成されていてもよい。
【００１１】
また、本発明に係る表示灯付発信機は、正面視で前記発信機の左側に配された左側表示灯と、正面視で前記発信機の右側に配された右側表示灯と、を有し、前記左側表示灯から前記発信機方向に照射される第一光経路と、前記右側表示灯から前記発信機方向に照射される第二光経路と、が交差する交差地点が、前記取付面から１ｍ以内の位置になるように構成されていてもよい。
【００１２】
本発明に係る表示灯付発信機は、消防用設備の位置を示す表示灯と、自動火災報知設備の発信機と、を備えた表示灯付発信機において、前記表示灯は、前記発信機の左右方向両側および上下方向両側に設けられ、かつ、正面視で前記発信機を囲む表面部材を備え、前記表面部材は、取付面に対して略面一な板状に形成されていることを特徴としている。
【００１３】
本発明に係る発信機は、押圧操作時に押圧操作部を点灯表示させる発信機において、非押圧操作時に、前記押圧操作部は第１形態で点灯表示を行い、押圧操作時に、前記押圧操作部は前記第１形態とは異なる第２形態で点灯表示を行うように構成されていることを特徴としている。
【発明の効果】
【００１４】
本発明は、意匠性を配慮した表示灯、表示灯付発信機および発信機を提供することができる。
【図面の簡単な説明】
【００１５】
【図１】本発明の一実施形態に係る屋内消火栓の正面図である。
【図２】本発明の一実施形態に係る表示灯の視認範囲を示す図（概略平面図）である。
【図３】本発明の一実施形態に係る表示灯の図であり、（ａ）は正面図、（ｂ）は（ａ）のＡ−Ａ線に沿う断面図、（ｃ）は表面部材を取り外した状態の斜視図である。
【図４】本発明の一実施形態に係る表示灯の図であり、（ａ）は正面図、（ｂ）は（ａ）のＢ−Ｂ線に沿う断面図である。
【図５】本発明の一実施形態に係る表示灯の図であり、（ａ）は正面図、（ｂ）は（ａ）のＣ−Ｃ線に沿う断面図である。
【図６】本発明の一実施形態に係る表示灯付発信機の正面図である。
【図７】図６のＤ−Ｄ線に沿う断面図であり、光の照射方向を示した図である。
【図８】本発明の一実施形態に係る表示灯付発信機の別の形態（１）を示す正面図である。
【図９】本発明の一実施形態に係る表示灯の別の形態を示す断面図である。
【図１０】本発明の一実施形態に係る光源の別の形態を示す部分斜視図である。
【図１１】本発明の一実施形態に係る表示灯付発信機の別の形態（２）を示す正面図である。
【図１２】本発明の一実施形態に係る表示灯付発信機の別の形態（３）を示す部分断面図である。
【発明を実施するための形態】
【００１６】
以下、本発明の一実施形態に係る表示灯、表示灯付発信機および発信機について説明する。
図１は、本実施形態に係る屋内消火栓の正面図である。図１に示すように、屋内消火栓１は、建物内などにおける所定の位置に設置されている。屋内消火栓１は、屋内消火栓ボックス１１の内部に消防用ホース（不図示）や開閉弁（不図示）などが収納されている。消防用ホースや開閉弁が収納された部分の前面には消火栓扉３が設けられている。消火栓扉の直上には、表示灯１０、発信機１２、ベル１４が配設されている。
【００１７】
表示灯１０は、屋内消火栓設備などの消防用設備の位置を示す目的で、当該消防用設備の直近に設置されている。
発信機１２は、自動火災報知設備の一つとして人の目につきやすい場所に設置されている。発信機１２は、火災が発生したときに、押しボタン５を手動で押すことにより、受信機（不図示）に火災信号が送られたり、屋内消火栓のポンプを起動させたりすることができるようになっている。
ベル１４は、火災が発生したときに、警報音を鳴動させることにより、周囲の人に火災発生を知らせるものである。
【００１８】
（表示灯）
図２に示すように、表示灯１０は、赤色の灯火で、取付面１５と１５°以上の角度となる方向に沿って１０ｍ離れたところから点灯していることが容易に識別できるように設置する必要がある（消防法施行規則）。
【００１９】
図３に示すように、本実施形態の表示灯１０は、正面視で略矩形状の表面部材２１を備えている。表面部材２１は、取付面１５に対して略面一な板状に形成されている。表面部材２１は、例えば、光透過性のある赤色の樹脂板で形成されている。表面部材２１の裏側（内部空間）に、光源（発光部）２７が配される収納部２５が設けられている。収納部２５は、半円筒形状に形成されている。
【００２０】
収納部２５には、ＬＥＤなどの光源（発光部）２７が配されている。本実施形態では、光源２７は収納部２５内における左右端部近傍、かつ、取付面１５の近傍（表面部材２１側）に配置されている。光源２７は、収納部２５内の上下方向略全長に亘って配置されている。正面視で左側に配されている光源を左側光源２８、右側に配されている光源を右側光源２９とする。
【００２１】
収納部２５は、半円筒状の空間が形成されている。収納部２５の内面２５ａは、例えば、軟質の鏡面シートが貼着され、鏡面仕上げが施されている。
【００２２】
左側光源２８は、例えば、表面部材２１側を直接指向するように配された第一光源２８ａおよび収納部２５の内面２５ａを指向するように配された第二光源２８ｂが設けられている。
【００２３】
第一光源２８ａは、取付面１５とのなす角度が１５°以下になるように右方向に照射されている。第二光源２８ｂは、収納部２５の内面２５ａで反射された後、第一光源の光よりも正面側に照射されるように構成されている。
【００２４】
右側光源２９は、例えば、表面部材２１側を直接指向するように配された第三光源２９ａおよび収納部２５の内面２５ａを指向するように配された第四光源２９ｂが設けられている。
【００２５】
第三光源２９ａは、取付面１５とのなす角度が１５°以下になるように左方向に照射されている。第四光源２９ｂは、収納部２５の内面２５ａで反射された後、第三光源の光よりも正面側に照射されるように構成されている。
【００２６】
このように構成することで、表示灯１０は、正面から見た形状（表面部材２１の形状）が矩形状の外観を実現でき、かつ、側面から見たとき取付面１５と略面一のスッキリとした外観を実現することができる。
【００２７】
なお、表示灯は、正面視矩形状に代えて円形状とし、半球形状の凹部となる収納部としてもよい。このように構成することで、表示灯は、正面から見た形状（表面部材２１の形状）が円形または矩形状の外観を実現でき、状況に合わせることが可能になり、かつ、側面から見たとき取付面１５と略面一のスッキリとした外観を実現することができる。
【００２８】
（変形例１）
図４に示す表示灯３０は、正面視で略矩形状の表面部材３１を備えている。表面部材３１は、取付面１５に対して突出した湾曲面を有した形状に形成されている。表面部材３１は、例えば、光透過性のある赤色の樹脂板で形成されている。表面部材３１の裏側（内部空間）に、光源（発光部）３７が配される収納部３５が形成されている。収納部３５は、直方体の角筒形状に形成されている。
【００２９】
収納部３５には、ＬＥＤなどの光源３７が配されている。本実施形態では、光源３７は収納部３５内における左右端部近傍、かつ、平面視で取付面１５の近傍（表面部材３１側）に配置されている。光源３７は、収納部３５内の上下方向略全長に亘って配置されている。正面視で左側に配されている光源を左側光源３８、右側に配されている光源を右側光源３９とする。
【００３０】
左側光源３８は、例えば、取付面１５とのなす角度が１５°以下になるように右方向に照射される第一光源３８ａと、第一光源３８ａの光よりも正面側に照射される第二光源３８ｂと、を備えている。
【００３１】
右側光源２９は、例えば、取付面１５とのなす角度が１５°以下になるように左方向に照射される第三光源３９ａと、第三光源３９ａの光よりも正面側に照射される第四光源３９ｂと、を備えている。
【００３２】
このように構成することで、表示灯３０は、正面から見た形状（表面部材３１の形状）が矩形状のスッキリとした外観を実現することができる。
【００３３】
なお、表示灯は、正面視矩形状に代えて円形状とし、半球形状の凸部となる表面部材としてもよい。このように構成することで、表示灯は、正面から見た形状（表面部材３１の形状）が矩形又は円形状を選択することができ、状況に合わせた外観を実現することができる。
【００３４】
（変形例２）
図５に示す表示灯５０は、正面視で略提灯形状の表面部材５１を備えている。表面部材５１は、取付面１５に対して突出した湾曲面を有した形状に形成されている。表面部材５１は、提灯形状の略半分が突出したような形状で形成されている。表面部材５１は、例えば、光透過性のある赤色の樹脂板で形成されている。表面部材５１の裏側（内部空間）に、光源（発光部）５７が配される収納部５５が形成されている。収納部５５は、直方体の角筒形状に形成されている。
【００３５】
収納部５５には、ＬＥＤなどの光源（発光部）５７が配されている。本実施形態では、光源５７は収納部５５内における左右端部近傍、かつ、平面視で取付面１５の近傍（表面部材５１側）に配置されている。光源５７は、収納部５５内の上下方向略全長に亘って配置されている。
【００３６】
光源５７の配置については、上記変形例１と略同一の配置となっており、正面視で左側に左側光源（第一光源および第二光源）が配置され、右側に右側光源（第三光源および第四光源）が配置されている。
【００３７】
このように構成することで、表示灯５０は、正面から見た形状（表面部材５１の形状）が提灯形状のこれまでにない外観を実現することができ、例えば、飲食店に設置することで店内のイメージに合致した外観形状の表示灯を提供することができる。
【００３８】
（表示灯付発信機）
次に、図１においては表示灯１０と発信機１２が並列に配置されているが、表示灯と発信機とが一体化されたものについて説明する。
【００３９】
図６は、本実施形態の表示灯付発信機６０の正面図である。図７は、図６のＤ−Ｄ線に沿う断面図である。図６、図７に示すように、表示灯付発信機６０は、発信機１２と、発信機１２の左右両側に配された一対の表示灯７０と、を備えている。
【００４０】
表示灯７０は、正面視で発信機１２の左側に配された左側表示灯７０Ａと、右側に配された右側表示灯７０Ｂと、を備えている。左側表示灯７０Ａと、右側表示灯７０Ｂと、は発信機１２を挟んで対称な形状で構成されている。
【００４１】
左側表示灯７０Ａは、正面視で略矩形状の表面部材７１を備えている。表面部材７１は、取付面１５に対して略面一な板状に形成されている。表面部材７１は、例えば、光透過性のある赤色の樹脂板で形成されている。表面部材７１の裏側（内部空間）に、光源（発光部）７７が配される収納部７５が設けられている。収納部７５は、直方体の角筒形状に形成されている。
【００４２】
収納部７５には、ＬＥＤなどの光源７７が配されている。本実施形態では、光源７７は収納部７５内における左端近傍、かつ、平面視で取付面１５の近傍（表面部材７１側）に配置されている。光源７７は、収納部７５内の上下方向略全長に亘って配置されている。
【００４３】
収納部７５は、直方体形状の空間が形成されている。収納部７５の内部には、例えば、軟質の鏡面シート７３が湾曲させた状態で配設されている。つまり、収納部７５の内部において光が反射するように構成されている。
【００４４】
光源７７は、例えば、鏡面シート７３の取付面１５側近傍を指向するように配された第一光源７７ａおよび鏡面シート７３の奥側端部近傍を指向するように配された第二光源７７ｂを備えている。
【００４５】
第一光源７７ａは、該第一光源７７ａから照射された光が鏡面シート７３で反射した後に、取付面１５とのなす角度が１５°以下で左方向に照射されるように構成されている。第二光源７７ｂは、該第二光源７７ｂから照射された光が鏡面シート７３で反射した後に、第一光源７７ａの光よりも正面側に照射されるように構成されている。
【００４６】
同様に、右側表示灯７０Ｂは、正面視で略矩形状の表面部材７１を備えている。表面部材７１は、取付面１５に対して略面一な板状に形成されている。表面部材７１は、例えば、光透過性のある赤色の樹脂板で形成されている。表面部材７１の裏側（内部空間）に、光源（発光部）７８が配される収納部７５が設けられている。収納部７５は、直方体の角筒形状に形成されている。
【００４７】
収納部７５には、ＬＥＤなどの光源７８が配されている。本実施形態では、光源７８は収納部７５内における右端近傍、かつ、平面視で取付面１５の近傍（表面部材７１側）に配置されている。光源７８は、収納部７５内の上下方向略全長に亘って配置されている。
【００４８】
収納部７５は、直方体形状の空間が形成されている。収納部７５の内部には、例えば、軟質の鏡面シート７４が湾曲させた状態で配設されている。つまり、収納部７５の内部において光が反射するように構成されている。
【００４９】
光源７８は、例えば、鏡面シート７４の取付面１５側近傍を指向するように配された第三光源７８ａおよび鏡面シート７４の奥側端部近傍を指向するように配された第四光源７８ｂを備えている。
【００５０】
第三光源７８ａは、該第三光源７８ａから照射された光が鏡面シート７４で反射した後に、取付面１５とのなす角度が１５°以下で右方向に照射されるように構成されている。第四光源７８ｂは、該第四光源７８ｂから照射された光が鏡面シート７４で反射した後に、第三光源７８ａの光よりも正面側に照射されるように配置されている。
【００５１】
ここで、第二光源７７ｂから照射された光路（第一光経路）８１と、第四光源７８ｂから照射された光路（第二光経路）８２と、は交点（交差地点）８３にて交差している。取付面１５と交点８３との距離ｄ１は、１ｍ以内となるように設定されている。このように設定することにより、表示灯付発信機６０の正面の光の届きにくい死角領域Ａ１に人がいたとしても、表示灯付発信機６０から１ｍ以内の位置に居るため、表示灯付発信機６０を視認できないということはない。
【００５２】
このように構成することで、表示灯７０は、正面から見た形状（表面部材７１の形状）が矩形状の外観を実現でき、かつ、側面から見たとき取付面１５と略面一のスッキリとした外観を実現することができる。
【００５３】
また、発信機１２を中心として対称な位置に一対の表示灯７０（７０Ａ，７０Ｂ）を設けることで、意匠性を向上させることができるとともに、左右方向のどちらからでも表示灯７０を視認しやすくなる。
【００５４】
（変形例３）
図８は、表示灯付発信機の変形例を示す正面図である。図８に示すように、表示灯付発信機８５は、発信機１２と、正面視で発信機１２の周囲を囲むように配された表示灯９０と、を備えている。
【００５５】
表示灯９０は、正面視で発信機１２の左側に配された左側表示灯９０Ａと、右側に配された右側表示灯９０Ｂと、を備えている。さらに、表示灯９０は、正面視で発信機１２の上側に配された上側表示灯９０Ｃと、下側に配された下側表示灯９０Ｄと、を備えている。
【００５６】
表示灯９０は、左側表示灯９０Ａと、右側表示灯９０Ｂと、上側表示灯９０Ｃと、下側表示灯９０Ｄと、が発信機１２を囲んで略正方形の枠状に形成されている。
【００５７】
表示灯９０は、正面視で略矩形枠状の表面部材９１を備えている。表面部材９１は、取付面１５に対して略面一な板状に形成されている。表面部材９１は、例えば、光透過性のある赤色の樹脂板で形成されている。表面部材９１の裏側（内部空間）に、発光部が配される収納部が設けられている。収納部は、矩形状のそれぞれの部位（辺）に対して直方体の角筒形状に形成されている。
【００５８】
左側表示灯９０Ａおよび右側表示灯９０Ｂの収納部および光源（鏡面シート）は、上記した左側表示灯７０Ａおよび右側表示灯７０Ｂと略同一の構成となっている。
【００５９】
上側表示灯９０Ｃおよび下側表示灯９０Ｂの収納部には光源が配置されている。光源は、例えば、正面を指向するように配されている。
【００６０】
左側表示灯９０Ａの第二光源（７７ｂに相当）から照射された光路（８１）と、右側表示灯９０Ｂの第四光源（７８ｂに相当）から照射された光路（８２）と、は交点（８３）にて交差している。取付面１５と交点（８３）との距離は、１ｍ以内となるように設定されている。ここで、上側表示灯９０Ｃおよび下側表示灯９０Ｂの光源が正面を指向するように配置されていることにより、第二光源および第四光源の光の届きにくい死角領域（Ａ１）であっても、上側表示灯９０Ｃおよび下側表示灯９０Ｄの光源を確実に視認することができる。
【００６１】
このように構成することで、表示灯９０は、正面から見た形状（表面部材９１の形状）が矩形枠状の外観を実現でき、かつ、側面から見たとき取付面と略面一のスッキリとした外観を実現することができる。
【００６２】
また、発信機１２を中心として、該発信機１２を囲むように表示灯９０を設けることで、意匠性を向上させることができるとともに、左右方向のどちらからでも表示灯９０を視認しやすくなる。
【００６３】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【００６４】
例えば、上述の実施形態では、光源としてＬＥＤを用いた場合の説明をしたが、光源の種類はＬＥＤ以外であってもよい。
【００６５】
また、上述の実施形態では、光源として左側光源２８と右側光源２９を採用し、反射鏡で反射した光が正面方向へ向かう光路となるように構成したが、取付面に対して１５°以上となる角度で左右方向外方へ照射可能に構成されていれば適宜の形態をとることが可能である。例えば、図９に示すように、半円筒形状の収納部２５の内面２５ａに沿って、所定間隔をあけて複数の光源２７を配置し、光源２７からの光が収納部２５の円の中心部を指向するように配置する形態をとってもよい。
【００６６】
また、上記実施形態において、左側光源２８に第１光源２８ａと第２光源２８ｂを備えた構成を採用したが、図１０に示すように、第１光源２８ａと第２光源２８ｂはそれぞれ独立して角度調節する機構（角度調節機構１０１）を備えていてもよい。角度調節機構１０１は、例えば、固定円柱１０２と、該固定円柱１０２に取り付けられ中央部が中抜きされた円筒状の角度調節部１０３と、該角度調節部１０３に取り付けられ高さ方向に延びる柱状の第１光源２８ａと、を備えている。また、同様に、固定円柱１０２に取り付けられ中央部が中抜きされた円筒状の角度調節部１０４と、該角度調節部１０４に取り付けられ高さ方向に延びる柱状の第２光源２８ｂと、を備えている。角度調節部１０３，１０４は、互いに異なる高さに設けられている。このように構成することで、固定円柱１０２を中心に、第１光源２８ａおよび第２光源２８ｂをそれぞれ独立して回動させることができ、左側光源２８から発せられる光の方向を容易に調節することができる。つまり、角度調節機構１０１を設けることで、実際に配置される場所での構造に応じてより広い範囲での照射範囲を設定することや壁面加工の精度によらず必要な照射範囲を調節（確保）することが可能となる。また、右側光源２９についても同様の構成とすればよい。
【００６７】
また、上記実施形態では、一つの光源から第１光源２８ａと第２光源２８ｂの２つの光源を用いて照射するようにしたが、第１光源２８ａと第２光源２８ｂによる光の経路についてその間を補完する光の経路を設けるようにしてもよい。例えば、第１光源２８ａと第２光源２８ｂとの間に複数の光源をさらに配置したり、スモーク等の光の拡散部材を用いたりしてもよい。また、第１光源２８ａと第２光源２８ｂを配置せず、第１光源２８ａと第２光源２８ｂが為すべき光路に拡散光を発する光源を配置するようにしてもよい。例えば、第１光源２８ａと第２光源２８ｂが配置されるべき場所間の任意の場所に光源を配置し、必要に応じて光の拡散部材を設けてもよい。なお、当然ながら第３光源と第４光源についても同様に取り扱ってよい。
【００６８】
また、上記変形例３では発信機１２を囲む略正方形の枠状として表示灯９０を構成したが、発信機１２の左右方向両側および上下方向両側に設けられ、かつ、正面視で発信機１２を囲む形態であれば別の形態をとってもよい。例えば、図１１に示すように、表示灯１１０は、上下方向両側に備えた表示部について中央部１１１を無くし、発信機１２の左右方向にコの字状の表示部１１０ａ，１１０ｂを設けるようにしてもよい。発信機１２の左右方向にコの字状の表示部１１０ａ，１１０ｂを設けるようにした場合、表示灯１１０の枠内と枠外が完全に分離されないため、表示灯１１０と発信機１２を独立に取り付けることが可能となり、また意匠的にも表示灯を略矩形枠状とした場合のように発信機１２の強調効果を生むことが可能となる。
【００６９】
また、上記変形例２・３において、光の経路は反射鏡によるものとしているが、反射鏡を通らない光の経路を形成してもよい。具体的にいえば、第１光源よりも正面側に光源を配置して発信機側に光を照射する。さらに、図１２に示すように、発信機１２０の周縁部１２０ａを凸曲面上に形成することで、発信機１２０の周縁部１２０ａで反射した光が正面方向に向かうこととなり、発信機１２０の周囲を強調することが可能となる。さらに、発信機１２０の周縁部１２０ａに蓄光材１２１の塗布や反射しやすい素材を採用することにより一層の効果を発揮することが可能となる。
【００７０】
また、押圧操作時に押圧操作部を点灯表示させる発信機について、非押圧操作時に押圧操作部は第１形態で点灯表示を行い、押圧操作時に押圧操作部は第１形態と異なる第２形態で点灯表示を行うようにしてもよい。
具体的には、押圧操作時に押圧操作部の内側に備えた確認灯を点灯させる発信機が既に知られているが、さらに当該確認灯を例えば２色ＬＥＤ等の複数の発光形態をとることが可能な表示灯で構成する。これにより例えば、通常時に第１形態で点灯表示を行うことで、暗所に設置されている発信機について、表示灯でのおおまかな位置に加えて実際の操作位置を明確に表示することが可能となり、操作を助ける効果を得られる。
また、火災報知設備からの信号により第１形態と異なる第２形態で点灯表示を行うようにしてもよい。これにより、夜間での点灯や試験時の点灯が可能となる。
【００７１】
また、上述の実施形態では、鏡面シートと用いて光源からの光を反射させる構成を採用したものがあるが、光源からの光を外方へ照射させる方法については上記方法に限られない。
【符号の説明】
【００７２】
１０，３０，５０，７０，９０  表示灯
１２  発信機
１５  取付面
２１，３１，５１，７１，９１  表面部材
２５，３５，５５，７５  収納部
２７，３７，５７，７７  光源（発光部）
６０，８５  表示灯付発信機
７０Ａ  左側表示灯
７０Ｂ  右側表示灯
７３，７４  鏡面シート（鏡面）
８１  光路（第一光経路）
８２  光路（第二光経路）
８３  交点（交差地点）
【図１】
2020067746.tif 000003
【図２】
2020067746.tif 000004
【図３】
2020067746.tif 000005
【図４】
2020067746.tif 000006
【図５】
2020067746.tif 000007
【図６】
2020067746.tif 000008
【図７】
2020067746.tif 000009
【図８】
2020067746.tif 000010
【図９】
2020067746.tif 000011
【図１０】
2020067746.tif 000012
【図１１】
2020067746.tif 000013
【図１２】
2020067746.tif 000014